(57)【要約】【課題】  高齢者、妊婦及び身体障害者の人が靴を脱ぐ時に子供・女性及び男性の者が狭い設置場にて、一つの靴脱ぐ具にて腰掛けて出来るのが課題。【解決手段】  ４辺形の板材の踏板１７の周囲に凹部の切欠６を設け、４辺形の片隅に円形断面の円柱２を踏板に締結し、支柱２を支点に回動するガイドプレート１２に取付の座敷体８を設ける。なお、ねじ付ノブ３を用いてガイドプレートの位置は固定させる。ガイドプレートの他端側の内径には、座敷体８のインローの外径と嵌合させる。座敷１６の高さの調節をするスペーサ１５の内径に座敷体８のインローを嵌合させ、スペーサに座敷台９のインローを嵌合させる。その後、座敷台の上側に弾性体の座敷１６をセットして構成した座敷付の靴脱ぎ具ほか。【選択図】図１
0003155750.tif 000002
【実用新案登録請求の範囲】
【請求項１】
高齢者、妊婦及び身体障害者の人等が靴を脱ぐ時に腰掛けて行う時に於いて、
イ）平板の踏板の周囲に大きさの異なる凹部の切欠を持ち、踏板の下側に座注を設け、
ロ）踏板の隅部に円形断面を有する支柱を締結し、
ハ）ガイドプレートの孔と嵌合する円筒形の一端にはインローを持つ座敷体をもち、
ニ）座敷体のインローに座敷の面の高さの変位用の所定に合う高さ中から、選定したスペ    ーサの内径を嵌合させ、
ホ）スペーサの内径に座敷台のインロー部を嵌合させ、座敷台の上側には弾性体の座敷を    をおき、
ヘ）ひょうたん形したガイドプレートの小半径側の一端側に支柱との嵌合孔を設け、大半    径側の他端側の内径は、座敷体のインローと嵌合しその上側にスペーサを嵌合させ、
ト）ねじ付ノブと螺合するねじを持っているガイドプレートは、支柱と嵌合する、
以上の構成部品をもつことを特徴とする座敷付の靴脱ぎ具。
【請求項２】
靴を脱ぐ時に腰掛けて行う時に於いて、
イ）断面が円形のループバーの両端側は、ループバー取付板にボルトにて取付け、
ロ）ループバー取付板は、座敷受を介して座付ボルトにて支柱の一端に取付け、
ハ）鍔付カラーの外径には、円板の外周に大・中・小の大きさの異なる凹部の切欠きを設    けた踏板の内径とが嵌合し、鍔付カラーの内径は支柱の外径と嵌合し、
ニ）円筒カラーは、セットボルト用のねじを持っていて、内径は鍔付カラーと嵌合し、
且つ、踏板は鍔付カラーの外径にて回動（嵌合）する様にセットボルトを締結し、
ホ）座板の下側に頭付ピンが取付けられ、支柱の他端には座付ボルトが締結され、
ヘ）なお、弾性体を持って製作された座敷を座敷受に置いて使用する
以上の構成部品をもつことを特徴とする座敷付の靴脱ぎ具。
【請求項３】
靴を脱ぐ時に腰掛けて行う時に於いて、
イ）台座に締結の支柱に、スリ割Ｂと円錐面角度θを持ったスリーブの内径を嵌合させ、
ロ）スリーブボスの外径を切欠板に接着後、スリーブ外径にスリーブボスを嵌合させ、
ハ）スリーブの外径のねじにローレット付ナットを螺合させ、支柱上のスリーブの位置の    決定にローレット付ナットを用いて行う事を特徴とする座敷付の靴脱ぎ具。
【考案の詳細な説明】
【技術分野】
【０００１】  本考案は、腰を殆ど曲げなく玄関先にて容易に靴を脱ぐことが出来る様にした座敷付の靴脱ぎ具に関するものである。
【背景技術】
【０００２】  従来、一般の家庭などの家屋で靴などを脱ぐ場合には、左側の靴のかかと部で右側の靴のかかと部で押さえ、この状態で該右側の靴から右足を離脱させておき、この右足が靴から完全に離脱していない状態で右側のかかとを該靴から離脱させたり、下駄箱などを兼ねた椅子状の台座を玄関に設置しておき、この台座に腰掛けから腰を屈め、手指などで靴のかかと部を押さえたまま各足を靴から離脱させるなどしている。【０００３】  これらに関しては、靴のかかと部が係止される掛止部を棒状体に配設し、この掛止部を介して靴から足を離脱させるようにしたものがある。（例えば、特許文献１）
また、履物を脱ぐ際、つい面倒で横着になり玄関の上がりぐちに履物のかかと部を何度か擦りつけ、履物を脱ごうとする行為をする事で、上がりぐちに靴底接触による傷や汚れが付着し、またその際、特に高齢者は、履物を脱ごうとして体のバランスを崩し転倒したり頸部などを蹴打することで、取り返しのつかない事態になることがある為、立った姿勢で容易に履物を脱ぐことが可能な履物脱ぎ補助器具が発表されている。（特許文献２）【０００４】  他方、靴脱ぎ具は、若干の出願が見受けられるが、秋・冬場頃に履くブーツの長、短に対する靴脱ぎ具は見あたらない様である。（非特許文献・特許文献でも；なし）【０００５】
【特許文献１】  特開２００１−０７０１３１号（関連部；図９）
【特許文献２】  特開２００３−０３３２６８号（関連部；図１５）
【非特許文献】  座敷付の靴脱ぎ具は、見当たらない。
【考案の開示】
【考案が解決しょうとする課題】
【０００６】  前記に記載する特許文献は、靴を脱ぐ場合には、足下が若干不安定となる。このために壁面等に手を添えて身体を安定させたり、玄関の上がりくち等に腰掛けたりするが、年配者や妊婦或いは手足が不自由な状態にある人は、この動作が容易でなかったり或いは、苦痛を伴うことさえある。しかも高さが低いあがりくち等に腰掛ける場合には、必然的に腰を曲げる必要があるために余計な負担が掛かるだけでなく、靴を脱いだ後にはこのあがりくちで再び腰をあげなければならず、場合によっては人の介護が必要となる。
一方、椅子状の台の高さを該あがりくちよりも高く設定することで、腰掛けたり、或いは、立ちあがる動作が多少緩和されるものの腰を曲げる必要があることには変わりはなくまだ、足だけの  動作で靴が良好に離脱しない場合には腰を屈める必要が生じてしまう為靴を脱ぐ際における課題を充分に解決していない。
【０００７】  本考案は、前述した従来技術に内在している解決課題に鑑み、これを解決するための提案であって、靴のかがと部が係止される凹部を踏板等に形成し、この凹部を介して靴から足を容易に安全に離脱し得るようにした座敷付の靴脱ぎ具が強く要望されていた。
【課題を解決するための手段】
【０００８】  前述の課題で座って座敷付の靴脱ぎで所期の目的を達成する為に、
本考案に係わる靴脱ぎ具は、床面から所要高さに位置するよう設けた踏板（踏台）１７と、この踏板の周囲の端面に子供、女性及び男性の者が使用が出来る３種の大きさの湾曲した切欠６を各端面に形成し、靴をここの切欠き部にて行う。尚、踏板に支柱２を設け、支柱を支点にガイドプレート１２とインロー嵌合で一体の座敷体８は踏板面を回動する。
この時、座って靴を脱ぐ際に所定の切欠を選びその位置に座敷１６の位置をガイドプレート１２で案内する。ねじ付ノブ３にて座敷１６の位置を固定すれば、落ちついて、靴を脱ぐことが出来て安全で、しかも容易に目的達成の座敷付の靴脱ぎ具が提供できる。
【０００９】  第２実施例の図４〜図６は、座敷２３の支柱２５を中心に回動する踏板２７の周囲に切欠を、子供・女性及び男性の者が使用出来る為に３種類を設けたものである。
尚、この踏板２７は鍔付カラー２６と円筒カラー３８の間に挟んだ位置で回動する様になっている。よって、座敷２３に座って所定の切欠２７を選定して靴を脱ぐ。
【００１０】  第３実施例の図７〜図８は、秋・冬場頃に履くブーツ又はゴム長靴などを脱ぐ時は；
スリ割（Ｂ）付で円錐面角度θを形成し、外部にねじ（５１ｂ）をもつスリーブ５１と、これと嵌合の円錐面角を持ったスリーブボス５２は、切欠板４７に固定されている。
尚、支柱４５上にスライドが可能なスリーブ５１は、スリーブボスと嵌合し、スリーブとローレット付ナット５３も螺合させて締め・弛めの加減にて移動が自由に可能である。
【考案の効果】
【００１１】  本考案の目的は、靴脱ぎ時の高齢者、妊婦及び身体障害者などの人々の日常の利便性と腰をかがめたりする動作時の転倒による危害の防止にあり、この対応のための諸々の考案であった。このために次のようなことを本考案に盛り込んだのがその効果である。
イ）本考案に係わる靴脱ぎ具は、狭い設置面積に設計されて玄関に配置され踏板（１７      ）の周囲部の端部に湾曲状の切欠の凹部が大中小の大きさ３種で形成されている。
→  踏板（１７）の同一面に子供、女性及び男性用の靴のサイズに適合した切欠            の状態の凹部が３種を設けているので幅広い利用ができ効率がよい。
ロ）支柱２を中心にガイドプレート１２で回動する腰をかける座敷１６は、靴のサイズ      に合う所へ位置を動かし、利用が出来るため安定した姿勢で靴脱ぎできる。
ハ）腰を座敷１６に置いた状態で、踏板の凹部に靴の踵部を当接した状態で足を離脱さ      せることがことができるので、楽に容易に安全に靴脱ぎが出来る。
→  腰を屈めたり、該靴のかかと部に手を添えるといった動作の必要はなく、特            に高齢者や妊婦及び身体障害者には負担が大幅に軽減され安全である。
【００１２】  ニ）冬などに履くブーツ（長い背丈のある靴）又は長靴を脱ぐ場合の対応時に図７及び      図８に示す支柱４５にスリーブ５１の位置決めを容易にできるローレット付ナット      ５３を操作することで任意の高さに出来ることで脱ぐのが容易になる。  尚、
キャッチャ５５は、靴の大きさに合わせた対応が蝶ナット５７併用で出来る。
【考案を実施するための最良の形態】
【実施例】
【００１３】  以下、本考案の実施の形態を実施例１に、その後に関連の他の実施例について述べる。図１の実施例は、狭い場所の玄関等の上がり口に置く座敷付の靴脱ぎ具の斜視図である。なお、子供・女性及び男性で靴の大きさで変わる為、靴脱ぎ具の支柱２を中心にて座敷台９の座敷１６の位置は、ガイドプレート１２の回動にて所定の位置に固定できる。【００１４】１０は、本考案の第１実施例の座敷付の靴脱ぎ具（Ａ）である。
１は、手荷物のハンドバックなどの小物品を丸棒の支柱２に取付けの木材のかけ棒。
２は、平らな木材の四辺形をした厚手の木製の踏板１７に段付きカラー４を介して踏板１  ７にあけた孔に挿入時に接着剤を塗布して取付けの木製の丸棒の支柱である。
３は、ガイドプレート１２の向き位置を固定するためにガイドプレートのねじ孔と螺合の  ねじ軸の一端に鍔部を持ち外周にローレット刻面を持つた真鍮製のねじ付ノブである。
５は、踏板１７の下側面に４〜６ケを取付けの所定の高さＨをもち、釘又は接着剤にて、  踏板に取付けの丸形した木製の座注である。
６は、踏板１７の周囲の一端には、靴脱ぎ用の対称形の凹部溝をした形状を設けている。  なお、凹部溝の角には、図示なき同形した相似形の耐磨耗性の樹脂を嵌め合わせて使用  する１ランク上のタイプも用意している。各端毎に子供、女性及び男性用を各設置。
８は、円柱形で外周には縦溝を設けたデザインを施した木製で製作の座敷体である。
９は、円柱形の木で製作の座敷台９に置く座敷１６を載せる為に窪み形状した座敷台。
１２は、ひょうたん形した平板の木材の小半径側の一端側には支柱２との嵌合孔を設け、  他端の大半径側の内径は、座敷体８のインローと嵌合し、なお小半径側の支柱２側には  ねじ付ノブと螺合するめねじ孔が貫通されているガイドプレートである。
１３は、座敷体８と踏板１７の間に入れて圧縮ばね１４にて位置決め用の鋼球である。
１４は、錆止めを施した圧縮ばねである。
１５は、座敷１６面の床からの高さの調整時に選択使用する木材のスペーサである。
１６は、座敷台の上にセットする弾性体を有するゴム又は軟質の樹脂材の座敷である。
１７は、木材にて成形の平板で、周囲には靴を脱ぐ為の子供・女性及び男性の者用の切欠  きを設けている踏板であり、上側には、支柱２がカラー４を介して接合孔部に接着材を  塗布され固定され、下側には、木製の円形の座柱５が接合孔部に接着材を塗布し固定。【００１５】  図４の実施例２は、狭い場所の上がり口に置く靴脱ぎ具の一部欠断面の正面図である。
２０は、本考案の第２実施例の座敷付の靴脱ぎ具（Ｂ）である。
２１は、鉄製のパイプにて製作の安全用の背もたれ用のループバーで、木製のループバー  取付板３３に座付のボルト２２にて両側にて固定している。
２４は、支柱２５に木製の座敷受２４を中央にてループバー取付板３３を介して座付ボル  ト３４にて取付けの座敷受である。
２５は、断面が円形の木製のもので、両端側には座付ボルト３４と螺合するねじを持った  支柱である。【００１６】２６は、円筒カラー３８の内径に嵌合する径に、内径で支柱と嵌合し、６角孔付のセット  ボルト３６と螺合のねじを持つ、アルミ材で製作の鍔付カラーである。
２７は、鍔付カラー２６と円筒カラー３８の間に挟まれた木製の平板の円盤形状をし、外    周には対称形をした凹部形状の溝が子供、女性及び男性用のものが３ケ種の切欠を設    けた踏板である。
なお、踏板は支柱２５を中心に水平回動する様にセットボルト３６にて固定される。
２９は、座敷受２４を支えるための支柱２５の端面に座付ボルト３４にて取付け、下側面    には頭付ピン３１が釘又は接着材にて４ケ取付けられている木製の座板である。
３１は、木製の座板２９の下側に４ケを取付けの頭付ピンである。
３２は、木製で成形されたものの表面にゴムパットを接着材にてはりつけの座敷である。
なお、下側の中央には、ボルト頭の干渉を無くす為に、くぼみ部を設けている。
３３は、両端側にボルト２２を取付け孔を、中央には、座付ボルト３４取付用の孔を持つ  木製の平板のループバー取付板である。
３４は、座板２９を支柱２５に締結するための  座付ボルトである。
３６は、鍔付カラー２６と円筒カラー３８で踏板２７を保持の６角孔付のセットボルト。
３８は、アルミ材又は木製の円筒形で外周にセットボルト用のバカ孔を持つ円筒カラー。【００１７】  図８の実施例３は、狭い場所の上がり口に置く着座４２で冬場などに履くブーツの靴脱ぎ具の使用例の側面図である。
ブーツの高さＨ及びブーツの外周が大きいタイプの時に応じ、対応が任意に調節が出来る靴脱ぎ具の事例のものである。
なお、図７は、基本的には図８と同じあり、ブーツの高さの低い物に使用する時の例示である。これは、ブーツの高さの対応にスリーブ５１の部品の組合せを逆にした使い方。【００１８】４０は、本考案の第３実施例の座敷付の靴脱ぎ具（ｃ）である。
４２は、高齢者、身体障害者などの人が着座するときに座る柔軟性の椅子の役目の着座。
４３は、台座４９に取付けの木製の円板（下）４６と円板（上）４４とを連結の木製又は  、アルミ材の円柱軸である。
４４は、着座４２の下に置く木製の円板形状の円板（上）である。
４５は、断面が円形で、一端は台座４９に図示なきボルトにて固定し、他端は支柱握り４  ５ａの木製のものを接着材にてねじ込みして成形する。
４６は、台座４９の上に置く木製の円板形状の円板（下）である。
４７は、靴脱ぎをするときの凹部形状の溝の切欠をもった木製の切欠板である。
４９は、取付け面に密接させる木製の平板で、支柱４５と円柱軸４３を各々装着の切欠４  ９ａを持つ台座である。【００１９】５１は、（図７の（ｂ）、（ｃ）に示す）スリーブ５１の一端が３等分のスリ割り（Ｂ）  を持ち、外部の外径にはねじ５１ｂをもっていて、他端側の外径は円錐面角度（θ）を  持ち、強度上からアルミ材にて製作のスリーブである。
５２は、嵌め合わせの相手のスリーブと嵌合するための円錐面角度θを持ち、アルミ材に  て製作のスリーブボスであり、切欠板４７の内径とは接着剤にて固定する。
５３は、スリーブと螺合するためのねじを内径にもつ、アルミ材のローレット付ナツト。
尚、ローレット付ナツトを右回す事でスリーブ５１の内径が小さく（縮む）なる。
５５は、靴のブーツの外径が大きい時に対応が効く様に、ばね性を有する材質を使用して  靴幅に合わせ小さくする時にねじ軸５６と蝶ナット５７を使用時のキャツチャ。
５６は、キャツチャーの掴み幅を狭くする時の鉄製の頭付ねじ軸（ボルト）である。
５７は、市販の銅製の蝶ナットである。【００２０】６０は、（着座して靴脱ぎする時の）人。  ６０ａは、人の足である。
６１は、公開例示の杖。  ６２は、公開例示の引ケ掛け具。６７は、公開例示の掛止部
６５は、  秋、冬場に履く靴の全高が高い、ブーツである。又は、ゴム製の長靴。
【図面の簡単な説明】
【００２１】
【図１】  本考案の第１実施例で、座敷付の靴脱ぎ具（Ａ）の斜視図である。
【図２】  本考案の第１実施例の図３の断面Ａ−Ａある。
【図３】  本考案の図１の部分断面図である。
【図４】  本考案の第２実施例で座敷付の靴脱ぎ具（Ｂ）の部分断面の正面図。
【図５】  本考案の第２実施例の［図４］の側面図である。
【図６】  図５の断面Ｂ−Ｂを示す。
【図７】  本考案の第３実施例の座敷付の靴脱ぎ具（Ｃ）である。（ａ）ブーツ（短）６５ａで、靴脱ぎ時の使用例図である。（ｂ）図７（ｃ）のスリーブ５１の矢視Ａである。（ｃ）図７（ｂ）のスリーブの断面Ｃ−Ｃである。
【図８】  本考案の第３実施例の座敷付の靴脱ぎ具（Ｃ）である。（ａ）ブーツ（長）６５ｂで、しかもサイズが特殊径の使用例。（ｂ）矢視Ｂの「キャッチャ５５」の（周辺の）平面図
【図９】  関連する従来の靴脱ぎ具の例  （ａ）従来使用の靴脱ぎ踏台（６２）の切欠部と杖を併用の使用例。（ｂ）従来使用の棒状部材の杖に掛止部を持つ靴脱ぎ具。
【符号の説明】
【００２２】２  支柱                  １２  ガイドプレート    ２１  ループバー
３  ねじ付ノブ                １２ａ，１２ｂ      ２２  ボルト
４  カラー                １３  鋼球              ２３  座敷（ｂ）
５  座柱                  １４  圧宿ばね          ２４  座敷受
５ａ、５ｂ、５ｃ、５ｄ  １５  スペーサ          ２５  支柱
６  切欠                      １５ａ
６ａ、６ｃ、６ｅ        １６  座敷（ａ）        ２６  鍔付カラー
８  座敷体                １７  踏板              ２７  踏板
９  座敷台                    １７ａ  球溝        ２９  座板
１０  座敷付の靴脱ぎ具（Ａ）
２０  座敷付の靴脱ぎ具（Ｂ）
４０  座敷付の靴脱ぎ具（Ｃ）【００２３】３１  頭付ピン            ４４  円板（上）        ５１  スリーブ
３２  座敷（ｃ）          ４５  支柱                  ５１ａ  ５１ｂ  ５１ｃ
３３  ループバー取付板        ４５ａ              ５２  スリーブボス
３４  座付ボルト          ４６  円板（下）        ５３  ローレット付ナット
３６  セットボルト        ４７  切欠板            ５５  キャッチャ
３８  円筒カラー              ４７ａ              ５６  ねじ軸
４２  着座                ４９  台座              ５７  蝶ナット
４３  円板軸                  ４９ａ【００２３】６０  人                  ６５  ブーツ
６０ａ  足                ６５ａ  ブーツ（短）、６５ｂ  ブーツ（長）
６１  杖                  ６７  切欠
６２  踏台【００２４】φｄ（加工ニゲ）孔          Ａ（加工ニゲ）孔の位置
θ  円錐面角度            Ｔ  スペーサ厚さ
Ｂ（加工溝の）スリ割      Ｃ  寸法
Ｈ  ブーツの高さ          Ｒ  半径
Ｈ１    ブーツ高さ短、
Ｈ２  ブーツ高さ長
【図１】
0003155750.tif 000003
【図２】
0003155750.tif 000004
【図３】
0003155750.tif 000005
【図４】
0003155750.tif 000006
【図５】
0003155750.tif 000007
【図６】
0003155750.tif 000008
【図７】
0003155750.tif 000009
【図８】
0003155750.tif 000010
【図９】
0003155750.tif 000011
【手続補正書】
【提出日】平成21年8月31日(2009.8.31)
【手続補正１】
【補正対象書類名】実用新案登録請求の範囲
【補正対象項目名】全文
【補正方法】変更
【補正の内容】
【実用新案登録請求の範囲】
【請求項１】
高齢者、妊婦及び身体障害者の人等が靴を脱ぐ時に腰掛けて行う時に於いて、
イ）平板の踏板の周囲に大きさの異なる凹部の切欠を持ち、踏板の下側に座注を設け、
ロ）踏板の隅部に円形断面を有する支柱を締結し、
ハ）ガイドプレートの孔と嵌合する円筒形の一端にはインローを持つ座敷体を持ち、
ニ）座敷体のインローに座敷の面の高さの変位用の所定に合う高さ中から、選定したスペーサの内径を嵌合させ、
ホ）スペーサの内径に座敷台のインロー部を嵌合させ、座敷台の上側には弾性体の座敷をおき、
ヘ）ひょうたん形をしたガイドプレートの小半径側の一端側に支柱との嵌合孔を設け、大半径側の他端側の内径は、座敷体のインローと嵌合しその上倒にスペーサを嵌合させ、
ト）ねじ付ノブと螺合するねじを持っているガイドプレートは、支柱と嵌合する、
以上の構成部品をもつことを特徴とする座敷付の靴脱ぎ具。
【請求項２】
靴を脱ぐ時に腰掛けて行う時に於いて、
イ）断面が円形のループバーの両端側は、ループバー取付板にボルトにて取付け、
ロ）ループバー取付板は、座敷受を介して座付ボルトにて支柱の一端に取付け、
ハ）鍔付カラーの外径には、円板の外周に大・中・小の大きさの異なる凹部の切欠きを設けた踏板の内径とが嵌合し、鍔付カラーの内径は支柱の外径と嵌合し、
ニ）円筒カラーは、セットボルト用のねじを持っていて、内径は鍔付カラーと嵌合し、且つ、踏板は鍔付カラーの外径にて回動する様にセットボルトを締結し、
ホ）座板の下側に頭付ピンが取付けられ、支柱の他端には座付ボルトが締結され、
ヘ）なお、弾性体を持って製作された座敷を座敷受に置いて使用する、
以上の構成部品をもつことを特徴とする座敷付の靴脱ぎ具。
【請求項３】
靴を脱ぐ時に腰掛けて行う時に於いて、
イ）台座に締結の支柱に、スリ割Ｂと円錐面角度θを持ったスリーブの内径を嵌合させ、
ロ）スリーブボスの外径を切欠板に接着後、スリーブ外径にスリーブボスを嵌合させ、
ハ）スリーブの外経のねじにローレット付きナットを嵌合させ、支柱上のスリーブの位置の決定にローレット付ナットを用いて行う
ことを特徴とする座敷付の靴脱ぎ具。